(57)【要約】【課題】スタンド付きカバーに対し容易にスタンド部を脱着することを目的する。【解決手段】スタンド付きカバーは、脚部に設けられた軸部を介して背面側に開閉可能に取り付けられたスタンド部を備え、正面側に本体装置が装着される。スタンド付きカバーは、硬質ケースと、前記硬質ケースよりも軟質であり、前記軸部を回動可能に支持する軸受部と、前記硬質ケースよりも軟質であり、前記硬質ケースに装着された状態で前記本体装置を当接支持する支持部と、を備え、前記硬質ケースは、前記脚部が背面側から挿し込まれ、前記軸部を正面側に露出させる脚部挿し込み穴と、正面側に開口し、前記軸部を支持した前記軸受部を収納する収納凹部を備える軸受収納部と、を備え、前記軸受部は、前記支持部と前記硬質ケースとの位置関係を維持した状態で前記軸受収納部から取り外し可能に設けられている。【選択図】図４
2019046940.tif 000002
【特許請求の範囲】
【請求項１】
脚部に設けられた軸部を介して背面側に開閉可能に取り付けられたスタンド部を備え、正面側に本体装置が装着されるスタンド付きカバーであって、
硬質ケースと、
前記硬質ケースよりも軟質であり、前記軸部を回動可能に支持する軸受部と、
前記硬質ケースよりも軟質であり、前記硬質ケースに装着された状態で前記本体装置を当接支持する支持部と、を備え、
前記硬質ケースは、前記脚部が背面側から挿し込まれ、前記軸部を正面側に露出させる脚部挿し込み穴と、正面側に開口し、前記軸部を支持した前記軸受部を収納する収納凹部を備える軸受収納部と、を備え、
前記軸受部は、前記支持部と前記硬質ケースとの位置関係を維持した状態で前記軸受収納部から取り外し可能に設けられたスタンド付きカバー。
【請求項２】
前記支持部は、前記硬質ケースの正面側に脱着可能に配置された軟質ケースに形成され、前記軸受部は、連接部を介して前記軟質ケースと連接されたフラップ部に形成された請求項１に記載のスタンド付きカバー。
【請求項３】
前記連接部は、前記スタンド部を開き、前記本体装置を立てた状態とするときに、前記軸受部よりも上側に設けた請求項２に記載のスタンド付きカバー。
【請求項４】
前記支持部は、前記硬質ケースの正面側に脱着可能に配置された軟質ケースに形成され、前記軸受部は、前記軟質ケースから切り出され、前記硬質ケースに脱着可能に設けられた脱着片に形成された請求項１に記載のスタンド付きカバー。
【請求項５】
前記軸受部は、前記収納凹部の内周壁と摺接する摩擦面を有する含む請求項１に記載のスタンド付きカバー。
【請求項６】
前記軸受部は、前記軸部の一端側を受け入れて支持する第１受部と、前記軸部の他端側を受け入れて支持する第２受部とを含む請求項１乃至５のいずれか１項に記載のスタンド付きカバー。
【発明の詳細な説明】
【技術分野】
【０００１】
本発明は、スタンド付きカバーに関する。
【背景技術】
【０００２】
昨今、いわゆるタブレットＰＣ（Personal Computer）と称されるような装置が普及している。このような装置は、自立させた状態で使用できるようにスタンドを装備することがある（例えば、特許文献１参照）。スタンドは、軸部を備え、開閉自在とすることで、収納状態と自立可能状態との間で状態を変更することができる。また、携帯電話機を自立させる為のスタンド等が種々提案されている（例えば、特許文献２、３参照）。
【先行技術文献】
【特許文献】
【０００３】
【特許文献１】特開２００９−１５８６６９号公報
【特許文献２】実用新案登録第３０７３４７６号公報
【特許文献３】特開２０１０−２６８２３７号公報
【発明の概要】
【発明が解決しようとする課題】
【０００４】
ところで、タブレットＰＣのような装置は、持ち運び易く、便利であるが、持ち運び機会の増加に伴い、装置が落下や衝突等の外部衝撃を受ける機会も増加している。このような状況に対処すべく装置を保護するカバーが利用されることがある。このようなカバーにスタンド部を設けておけば、装置を保護することができ、また、装置を自立させることもできる。
【０００５】
装置を自立させることができれば、装置の使用形態のバリエーションが増加し、便利である。しかしながら、装置を自立させて使用することよりも、より軽量でコンパクトな状態で持ち運びすることが優先され、スタンド部が不要となることも想定される。そこで、カバーに対してスタンド部を脱着可能にしておくことが考えられる。
【０００６】
ここで、このようなカバーは、強度を確保する為に硬質な素材で形成された外側ケースと、衝撃を吸収する為に軟質な素材で形成された内側ケースとを嵌合させた形態とすることが考えられる。スタンド部もその強度を確保すべく、外側ケースと同様の硬質な素材で形成する。内側ケースには、装置の筐体を当接支持する支持部と、スタンド部が備える軸部を回転可能に支持する軸受部を設ける。軟質な素材で形成された軸受部はスタンド部に加わった力を分散し、緩和することができる。このような軸受部は、内側ケースと外側ケースとを嵌合させる際に、硬質な外側ケースに設けた軸受収納部が備える収納凹部内に収納されることで、軸部の移動、脱落が防止される。この結果、スタンド部はカバーに強固に装着された状態とされる。そして、軸受部から軸部を取り外せば、カバーからスタンド部を取り外すことができる。
【０００７】
しかしながら、軸受部から軸部を取り外す為には、軸受部を拡げなければならない。軸受部は、柔軟な内側ケースに形成され、拡げることができるが、軸受部を拡げる為には、カバーから装置を取り外した後、内側ケースと外側ケースとを分離し、外側ケースに設けた収納凹部から軸受部を取り出さなければならない。このように、カバーからスタンド部を取り外すために内側ケースと外側ケースとを分離しなければならないことは、手間であり、問題となる。特許文献１〜３もこのような問題を解決するものとはなっていない。
【０００８】
１つの側面では、本発明は、スタンド付きカバーに対し容易にスタンド部を脱着することを目的とする。
【課題を解決するための手段】
【０００９】
１つの態様では、スタンド付きカバーは、脚部に設けられた軸部を介して背面側に開閉可能に取り付けられたスタンド部を備え、正面側に本体装置が装着されるスタンド付きカバーであって、硬質ケースと、前記硬質ケースよりも軟質であり、前記軸部を回動可能に支持する軸受部と、前記硬質ケースよりも軟質であり、前記硬質ケースに装着された状態で前記本体装置を当接支持する支持部と、を備え、前記硬質ケースは、前記脚部が背面側から挿し込まれ、前記軸部を正面側に露出させる脚部挿し込み穴と、正面側に開口し、前記軸部を支持した前記軸受部を収納する収納凹部を備える軸受収納部と、を備え、前記軸受部は、前記支持部と前記硬質ケースとの位置関係を維持した状態で前記軸受収納部から取り外し可能に設けられている。
【発明の効果】
【００１０】
スタンド付きカバーに対し容易にスタンド部を脱着することができる。
【図面の簡単な説明】
【００１１】
【図１】図１は本体装置にカバーを装着した第１実施形態の端末装置の６面図であり、図１（Ａ）は正面図、図１（Ｂ）は平面図、図１（Ｃ）は底面図、図１（Ｄ）は右側面図、図１（Ｅ）は左側面図、図１（Ｆ）は背面図である。
【図２】図２はスタンド部を閉じた状態の端末装置を背面側から観た斜視図である。
【図３】図３はスタンド部を開いた状態の端末装置を背面側から観た斜視図である。
【図４】図４は第１実施形態のカバーの６面図であり、図４（Ａ）は正面図、図４（Ｂ）は平面図、図４（Ｃ）は底面図、図４（Ｄ）は右側面図、図４（Ｅ）は左側面図、図４（Ｆ）は背面図である。
【図５】図５は第１実施形態のスタンド部の６面図であり、図５（Ａ）は正面図、図５（Ｂ）は平面図、図５（Ｃ）は底面図、図５（Ｄ）は右側面図、図５（Ｅ）は左側面図、図５（Ｆ）は背面図である。
【図６】図６は第１実施形態の硬質ケースの６面図であり、図６（Ａ）は正面図、図６（Ｂ）は平面図、図６（Ｃ）は底面図、図６（Ｄ）は右側面図、図６（Ｅ）は左側面図、図６（Ｆ）は背面図である。
【図７】図７は第１実施形態の軟質ケースの６面図であり、図７（Ａ）は正面図、図７（Ｂ）は平面図、図７（Ｃ）は底面図、図７（Ｄ）は右側面図、図７（Ｅ）は左側面図、図７（Ｆ）は背面図である。
【図８】図８は軸受部を拡げ、軸部を脱着する様子を模式的に示す説明図である。
【図９】図９は収納凹部に対し、軸受部が出し入れされる様子を模式的に示す説明図である。
【図１０】図１０は第２実施形態の軸受部が形成された脱着片を示す説明図である。
【図１１】図１１は第２実施形態の軸受部が、硬質ケースに設けられた収納凹部に出し入れされる様子を模式的に示す説明図である。
【図１２】図１２は第３実施形態のカバーの正面図である。
【図１３】図１３（Ａ）は第３実施形態の軸受収納部を示す説明図であり、図１３（Ｂ）は軸受収納部に軸受部が形成された脱着片を装着した様子を示す説明図である。
【図１４】図１４は第３実施形態の脱着片の６面図であり、図１４（Ａ）は正面図、図１４（Ｂ）は平面図、図１４（Ｃ）は底面図、図１４（Ｄ）は右側面図、図１４（Ｅ）は左側面図、図１４（Ｆ）は背面図である。
【発明を実施するための形態】
【００１２】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１３】
（第１実施形態）
まず、図１（Ａ）乃至図１０を参照しつつ、実施形態の端末装置の概略構成について説明する。図１（Ａ）〜図１（Ｆ）は本体装置にカバーを装着した第１実施形態の端末装置の６面図である。図２はスタンド部を閉じた状態の端末装置を背面側から観た斜視図である。図３はスタンド部を開いた状態の端末装置を背面側から観た斜視図である。図４（Ａ）〜図４（Ｆ）は第１実施形態のカバーの６面図である。図５（Ａ）〜図５（Ｆ）は第１実施形態のスタンド部の６面図である。図６（Ａ）〜図６（Ｆ）は第１実施形態の硬質ケースの６面図である。図７（Ａ）〜図７（Ｆ）は第１実施形態の軟質ケースの６面図である。図８は軸受部を拡げ、軸部を脱着する様子を模式的に示す説明図である。図９は収納凹部に対し、軸受部が出し入れされる様子を模式的に示す説明図である。なお、以下の説明において、カバーや、端末装置、本体装置等における正面側、背面側、上側、下側を図１（Ａ）〜図１（Ｆ）や、その他の図面に示すように設定して説明する。
【００１４】
図１（Ａ）〜図４を参照すると、端末装置１０１は、端末装置本体１００にスタンド付きカバー（以下、単に「カバー」と称する）１を装着した状態とされている。端末装置本体１００は、本体装置の一例であり、本実施形態では、タブレットＰＣである。端末装置本体１００は、正面側にディスプレイ部１００ａを備え、背面側にレンズ１００ｂを備える。
【００１５】
端末装置本体１００は、カバー１の正面側に装着されている。すなわち、カバー１の正面側と端末装置本体１００の背面側とが対向する状態で端末装置本体１００にカバー１が装着される。
【００１６】
カバー１には、スタンド部３０が開閉可能に装着されている。すなわち、スタンド部３０は、閉じた状態の収納状態と、開いた状態の自立可能状態との間で状態を変更することができるようにカバー１に装着されている。図５（Ａ）〜図５（Ｆ）を参照すると、スタンド部３０は、右脚部３１ａと左脚部３１ｂを備え、それぞれ軸部３３を備えている。軸部３３は、右脚部３１ａと左脚部３１ｂの上縁部にそれぞれ、左右に拡がる棒状部として形成されている。右脚部３１ａと左脚部３１ｂとは、連結部３２によって連結されている。スタンド部３０は、右脚部３１ａと左脚部３１ｂにそれぞれ設けられた軸部３３を介して、カバー１の背面側に開閉可能に取り付けられる。スタンド部３０は、カバー１に対して脱着可能である。スタンド部３０の脱着については、後に詳説する。
【００１７】
軸部３３の上縁部には、板状のストッパ３３ａが設けられている。ストッパ３３ａは、スタンド部３０がカバー１に装着された状態となるときに、スタンド部３０の回動範囲を規制する。
【００１８】
スタンド部３０は、後に説明する硬質ケース１０を形成する素材と同一の素材、本実施形態にあっては、ポリカーボネートによって形成され、その強度が確保されている。なお、スタンド部３０は、その強度を確保することができるものであれば、他の素材を用いてもよい。
【００１９】
なお、右脚部３１ａと左脚部３１ｂは、概ね同一の構成であるので、以下の説明では、主として右脚部３１ａについて説明する。また、本実施形態では、左右二本の脚部を備えているが、一本の脚部を備えた態様としてもよい。
【００２０】
再び、図１（Ａ）〜図４を参照すると、カバー１は、硬質ケース１０と、この硬質ケース１０の正面側に脱着可能に配置された軟質ケース２０を備える。すなわち、硬質ケース１０は、端末装置本体１００に対して外側に配置され、軟質ケース２０は、硬質ケース１０の内側に配置される。硬質ケース１０は、カバー１の強度を確保する為に硬質な素材で形成されている。本実施形態の硬質ケース１０は、ポリカーボネート製である。一方、軟質ケース２０は、端末装置本体１００と当接し、包み込むように端末装置本体１００を保持することで、端末装置本体１００の緩衝材として機能し、外部からの衝撃を吸収する為に軟質な素材で形成されている。本実施形態の軟質ケース２０は、ＴＰＵ（Thermoplastic Polyurethane）製であるが、シリコンゴム等、弾性に富む素材を採用することができる。なお、硬質ケース１０の素材と軟質ケース２０の素材とを比較すると、軟質ケース２０の素材が、硬質ケース１０の素材よりも弾性が高く、衝撃吸収性に優れている。
【００２１】
図６（Ａ）〜図６（Ｆ）を参照すると、硬質ケース１０は、背板部１１を備える。背板部１１には、レンズ孔１１ａや、ストラップ装着部挿通孔１１ｂ等が設けられている。また、背板部１１には、右脚部３１ａ又は左脚部３１ｂがそれぞれ挿し込まれる脚部挿し込み穴１２が設けられている。脚部挿し込み穴１２には、右脚部３１ａ又は左脚部３１ｂが背面側から挿し込まれ、右脚部３１ａと左脚部３１ｂにそれぞれ設けられた軸部３３が正面側に露出する。背板部１１には、脚部挿し込み穴１２の直上に軸受収納部１３が設けられている。軸受収納部１３は、正面側に開口する収納凹部１４を備えると共に背面側に半円形状に突出させて形成されている。収納凹部１４は、軸部３３を支持した軸受部２３を収納する。軸受部２３については、後に詳説する。軸受収納部１３は、硬質ケース１０と同一の素材によって形成されており、軸部３３の背面側への移動を規制することができ、スタンド部３０の取り付け強度を確保することができる。後に説明するように軸受部２３は、軟質の素材で形成されるが、軸受部２３を収納凹部１４内に収納することで、軸部３３の位置決めを行い、スタンド部３０の適切な回動動作を実現することができる。
【００２２】
本実施形態の硬質ケース１０は、端末装置本体１００の外観形状に応じて、概ね矩形の形状を備える。硬質ケース１０は、背板部１１の上辺に沿って正面側に迫り出した庇状の上縁部１５を備える。また、背板部１１の上角部１６と下角部１７は、後に説明する軟質ケース２０に設けられた上角支持部２５と下角支持部２６と嵌合できるように設けられている。
【００２３】
図７（Ａ）〜図７（Ｆ）を参照すると、軟質ケース２０は、背板部２１を備える。背板部２１は、硬質ケース１０が備える背板部１１と重ねられる。このため、背板部２１には、背板部１１と同様にレンズ孔２１ａが設けられている。また、背板部２１には、硬質ケース１０が備えるストラップ装着部挿通孔１１ｂに挿通されるストラップ装着部２１ｂが設けられている。硬質ケース１０と軟質ケース２０とが嵌合する際、ストラップ装着部２１ｂは、ストラップ装着部挿通孔１１ｂに挿通される。
【００２４】
軟質ケース２０には、硬質ケース１０に装着された状態でそれぞれ端末装置本体１００を当接支持する支持部として機能する上縁支持部２４、上角支持部２５及び下角支持部２６が設けられている。上縁支持部２４は、背板部２１の上辺に沿って設けられており、硬質ケース１０と軟質ケース２０とが嵌合するときに、庇状の上縁部１５の下側に嵌合させられる。上角支持部２５は、上角部１６の正面側に位置するように上角部１６に嵌め込まれる。下角支持部２６は、下角部１７の内側に嵌め込まれる。このようにして軟質ケース２０は硬質ケース１０と嵌合して一体化し、カバー１を形成する。各部の嵌め込み状態を解消すれば、硬質ケース１０と軟質ケース２０とを分離することができる。上縁支持部２４、上角支持部２５及び下角支持部２６は、軟質な素材で形成されており、カバー１を端末装置本体１００に装着した状態としたときに、端末装置本体１００を当接支持することで、端末装置本体１００の緩衝材として機能する。
【００２５】
軟質ケース２０は、軸受部２３が形成されたフラップ部２２を備える。本実施形態におけるフラップ部２２は、矩形である。フラップ部２２は、背板部２１において、矩形の４辺のうちの３辺に相当する位置に切れ込み２２ａを設けて背板部２１から切り離し、残された一辺を連接部２２ｂとすることで形成されている。フラップ部２２は、連接部２２ｂを回転軸としてポップアップ、すなわち、引き起すことができる状態とされている。
【００２６】
連接部２２ｂは、フラップ部２２の上縁部に設定されている。これにより、連接部２２ｂは、スタンド部３０を開き、端末装置本体１００を立てた状態とするときに、軸受部２３よりも上側に設けられた状態となる。このような位置関係とするのは、軸受部２３に力が加わる場合、すなわち、スタンド部３０に力が加わった際に、強度の面で有利だからである。スタンド部３０に力が加わる場合として最も想定されやすい状況は、スタンド部３０が開いた状態で、端末装置本体１００が上方から押えつけられたような場合である。この場合、軸受部２３が設けられているフラップ部２２にも上方から力が加わる。この際、仮に、連接部２２ｂが他の位置に設けられているとすると、フラップ部２２が大きく動きやすい状態となる。フラップ部２２に力が加わる度にフラップ部２２が大きく動くと、連接部２２ｂに大きな力が加わり、ひいては、破損する可能性がある。そこで、本実施形態の連接部２２ｂは、フラップ部２２の上縁部に設定されている。
【００２７】
フラップ部２２は、正面側に起き上がることができるが、カバー１が端末装置本体１００に装着された状態では、正面側に端末装置本体１００が配置されているため、起き上がることができない。
【００２８】
なお、フラップ部２２の形状は、矩形に限定されるものではなく、他の形状であってもよい。すなわち、一部が軟質ケース２０と連接された状態となり、連接された部分を回転軸として引き起こすことができるような態様となっていればよい。
【００２９】
フラップ部２２には、軸受部２３が設けられている。軸受部２３は、左右方向に延びる軸部３３の一端側を受け入れて支持する第１受部２３ａと、軸部３３の他端側を受け入れて支持する第２受部２３ｂとを含む。これにより、軸受部２３は、両側から押さえつけるようにして軸部３３を支持する。軸受部２３は、軟質ケース２０に設けられており、軟質ケース２０と同様の軟質な素材で形成されている。このため、図８における矢示４１のように、第１受部２３ａと第２受部２３ｂとを拡げることで軸部３３を取り外すことができる。また、これとは逆に、矢示４２のように第１受部２３ａと第２受部２３ｂを接近させることで、軸受部２３は、軸部３３を支持することができる。軟質な素材で形成された軸受部２３は、スタンド部３０に加わった力を分散し、緩和することができる。この結果、スタンド部３０の破損を抑制することができる。
【００３０】
軸受部２３は、背板部２１の背面側に軸受収納部１３の形状に対応させた半円形状に突出させた状態に設けられている。このため、軸受部２３は、軸部３３を支持した状態で硬質ケース１０に設けられた収納凹部１４に収納することができる。軸受部２３を収納凹部１４に収納することで、スタンド部３０の背面側への移動を規制し、スタンド部３０の取り付け強度を確保することができる。
【００３１】
ここで、軸受部２３は、フラップ部２２に形成されていることから、硬質ケース１０と軟質ケース２０とを分離することなく、図９に示す要領で、軸受収納部１３の収納凹部１４から取り外すことができる。すなわち、矢示４３のようにフラップ部２２を引き起こすことで軸受部２３を収納凹部１４から取り外し、硬質ケース１０から分離すことができる。このように、軸受部２３は、上縁支持部２４、上角支持部２５及び下角支持部２６といった支持部と硬質ケース１０との位置関係を維持した状態で軸受収納部１３から取り外すことができる。軸受部２３を軸受収納部１３から取り外すことができれば、図８に示すように軸受部２３を拡げて軸部３３を脱着することができる。このように、軸部３３の脱着に必要となる軸受部２３だけを硬質ケース１０から分離できるようにすれば、容易にスタンド部３０を脱着することができるようになる。軸部３３の脱着が完了した後、矢示４４のようにフラップ部２２を元の状態に戻せば、カバー１を、端末装置本体１００を装着できる状態に復帰させることができる。このときも、硬質ケース１０と軟質ケース２０との嵌合作業は不要であり、便利である。
【００３２】
本実施形態によれば、スタンド部３０の脱着の為に軸受部２３だけを軸受収納部１３から取り外すことができるようにしたので、スタンド付きカバー１に対し、容易にスタンド部３０を脱着することができる。
【００３３】
（第２実施形態）
つぎに、第２実施形態につき、図１０及び図１１を参照しつつ説明する。図１０は第２実施形態の軸受部が形成された脱着片を示す説明図である。図１１は第２実施形態の軸受部が、硬質ケースに設けられた収納凹部に出し入れされる様子を模式的に示す説明図である。
【００３４】
第１実施形態では、軟質ケース２０に連接部２２ｂを介して連接されたフラップ部２２に軸受部２３を設けることで、スタンド部３０の脱着に際し、軸受部２３だけを硬質ケース１０から分離できるようにしていた。これに対し、本実施形態のカバー２では、軟質ケース１２０から切り出され、硬質ケース１１０に脱着可能に設けられた脱着片１２２に軸受部１２３を形成することで、軸受部１２３だけを硬質ケース１１０から分離することができるようにしている。
【００３５】
図１０を参照すると、カバー２では、脱着片１２２が軟質ケース１２０を形成する背板部１２１から切り出され、背板部１２１と分離可能な状態とされている。脱着片１２２は、複数の取付突起１２２ａを備えている。図１１を参照すると取付突起１２２ａは、背板部１１に設けられている取付穴１１１ａに取り付けられることで、硬質ケース１１０に取り付けられる。脱着片１２２には、第１実施形態と同様に第１受部１２３ａと第２受部１２３ｂを含む軸受部１２３が形成されている。軸受部１２３は、脱着片１２２が硬質ケース１１０に装着された状態となるとき、硬質ケース１１０に設けられた軸受収納部１１３が備える収納凹部１１４内に収納される。一方、脱着片１２２を硬質ケース１１０から分離すれば、軸受部１２３を収納凹部１１４から取り外すことができ、第１実施形態と同様の要領で、軸受部１２３から軸部３３を脱着することができる。この結果、容易にスタンド部３０を脱着することができる。
【００３６】
本実施形態における軟質ケース１２０は、軸受部１２３が脱着片１２２に設けられている以外は、第１実施形態の軟質ケース２０と共通している。すなわち、軟質ケース１２０は、端末装置本体１００の支持部を有し、硬質ケース１１０の正面側に脱着可能に配置されており、使用状態において、硬質ケース１１０に嵌合されている。
【００３７】
このように、本実施形態の軟質ケース１２０は、硬質ケース１１０と嵌合しているが、スタンド部３０の脱着に際し、硬質ケース１１０と軟質ケース１２０との分離が不要である。すなわち、軸受部１２３は、軟質ケース１２０が備える支持部と硬質ケース１１０との位置関係を維持した状態で軸受収納部１１３から取り外すことができる。
【００３８】
（第３実施形態）
つぎに、第３実施形態につき、図１２乃至図１４を参照しつつ説明する。図１２は第３実施形態のカバーの正面図である。図１３（Ａ）は第３実施形態の軸受収納部を示す説明図であり、図１３（Ｂ）は軸受収納部に軸受部が形成された脱着片を装着した様子を示す説明図である。図１４は第３実施形態の脱着片の６面図であり、図１４（Ａ）は正面図、図１４（Ｂ）は平面図、図１４（Ｃ）は底面図、図１４（Ｄ）は右側面図、図１４（Ｅ）は左側面図、図１４（Ｆ）は背面図である。
【００３９】
本実施形態のカバー３は、他の実施形態と同様に硬質ケース２１０を備える。硬質ケース２１０は、背板部２１１を備える。背板部２１１には、脚部挿し込み穴２１２、軸受収納部２１３が設けられている。軸受収納部２１３には、他の実施形態と同様に、収納凹部２１４が設けられている。
【００４０】
これに対し、本実施形態のカバー３は、他の実施形態における軟質ケースの背板部に相当する部分を備えていない。本実施形態のカバー３は、第１実施形態のフラップ部２２や第２実施形態の脱着片１２２に代えて、脱着片２２２を備えている。第２実施形態の脱着片１２２が軟質ケース１２０の背板部１２１から切り出されて形成されていたのに対し、本実施形態における脱着片２２２は、単独の部品として個別に形成されている。
【００４１】
脱着片２２２は、第１実施形態の軟質ケース２０と同様の柔軟な素材によって形成されている。脱着片２２２は、板状部２２２ａを備え、この板状部２２２ａに軸受部２２３が形成されている。軸受部２２３は、他の実施形態と同様に、第１受部２２３ａと第２受部２２３ｂを備えている。軸受部２２３は、収納凹部２１４に収納される。このとき、第１受部２２３ａの外壁面が収納凹部２１４の内周壁２１４ａとの摩擦面２２３ａ１となる。また、第２受部２２３ｂの外壁面が収納凹部２１４の内周壁２１４ａとの摩擦面２２３ｂ１となる。脱着片２２２は、摩擦面２２３ａ１、２２３ｂ１と内周壁２１４ａとの間の摩擦力によって、軸受収納部２１３に固定される。脱着片２２２は、軸受収納部１３に摩擦力によって固定されているだけであるので、硬質ケース２１０に対し容易に脱着することができる。このように、軸受部２２３を容易に脱着することができるので、他の実施形態と同様に、スタンド部３０をカバー３から容易に脱着することができる。
【００４２】
本実施形態のカバー３も、他の実施形態と同様に、端末装置本体１００を当接支持する支持部としての上縁支持部２２４、上角支持部２２５及び下角支持部２２６を備える。ただし、本実施形態では、他の実施形態における軟質ケースの背板部に相当する部分を備えていない。このため、上縁支持部２２４、上角支持部２２５及び下角支持部２２６は、柔軟な素材を用いて、硬質ケース２１０の背板部２１１に２色成形によって形成されている。
【００４３】
本実施形態は、他の実施形態と同様に、スタンド付きカバー３に対し、容易にスタンド部３０を脱着することができる。また、本実施形態は、他の実施形態における軟質ケースの背板部に相当する部分を備えていないため、軽量とすることができる。
【００４４】
以上本発明の好ましい実施形態について詳述したが、本発明は係る特定の実施形態に限定されるものではなく、特許請求の範囲に記載された本発明の要旨の範囲内において、種々の変形、変更が可能である。
【００４５】
なお、以上の説明に関して更に以下の付記を開示する。
（付記１）
脚部に設けられた軸部を介して背面側に開閉可能に取り付けられたスタンド部を備え、正面側に本体装置が装着されるスタンド付きカバーであって、
硬質ケースと、
前記硬質ケースよりも軟質であり、前記軸部を回動可能に支持する軸受部と、
前記硬質ケースよりも軟質であり、前記硬質ケースに装着された状態で前記本体装置を当接支持する支持部と、を備え、
前記硬質ケースは、前記脚部が背面側から挿し込まれ、前記軸部を正面側に露出させる脚部挿し込み穴と、正面側に開口し、前記軸部を支持した前記軸受部を収納する収納凹部を備える軸受収納部と、を備え、
前記軸受部は、前記支持部と前記硬質ケースとの位置関係を維持した状態で前記軸受収納部から取り外し可能に設けられたスタンド付きカバー。
（付記２）
前記支持部は、前記硬質ケースの正面側に脱着可能に配置された軟質ケースに形成され、前記軸受部は、連接部を介して前記軟質ケースと連接されたフラップ部に形成された付記１に記載のスタンド付きカバー。
（付記３）
前記連接部は、前記スタンド部を開き、前記本体装置を立てた状態とするときに、前記軸受部よりも上側に設けた付記２に記載のスタンド付きカバー。
（付記４）
前記支持部は、前記硬質ケースの正面側に脱着可能に配置された軟質ケースに形成され、前記軸受部は、前記軟質ケースから切り出され、前記硬質ケースに脱着可能に設けられた脱着片に形成された付記１に記載のスタンド付きカバー。
（付記５）
前記軸受部は、前記収納凹部の内周壁と摺接する摩擦面を有する含む付記１に記載のスタンド付きカバー。
（付記６）
前記軸受部は、前記軸部の一端側を受け入れて支持する第１受部と、前記軸部の他端側を受け入れて支持する第２受部とを含む付記１乃至５のいずれか１項に記載のスタンド付きカバー。
（付記７）
脚部に設けられた軸部を介して背面側に開閉可能に取り付けられたスタンド部を備え、正面側に本体装置が装着されるスタンド付きカバーであって、
硬質ケースと、
前記硬質ケースよりも軟質であり、前記硬質ケースの正面側に脱着可能に設けられた軟質ケースと、を備え、
前記軟質ケースは、前記軸部を回動可能に支持する軸受部と、前記硬質ケースに装着された状態で前記本体装置を当接支持する支持部と、を備え、
前記硬質ケースは、前記脚部が背面側から挿し込まれ、前記軸部を正面側に露出させる脚部挿し込み穴と、正面側に開口し、前記軸部を支持した前記軸受部を収納する収納凹部を備える軸受収納部と、を備え、
前記軸受部は、前記スタンド部を開き、前記本体装置を立てた状態とするときに、前記軸受部よりも上側に設けた連接部を介して前記軟質ケースと連接されたフラップ部に形成されたスタンド付きカバー。
【符号の説明】
【００４６】
１  カバー
１０、１１０、２１０  硬質ケース
１３、１１３、２１３  軸受収納部
１４、１１４、２１４  収納凹部
２０、１２０  軟質ケース
２２  フラップ部
２２ａ  切れ込み
２２ｂ  連接部
２３、１２３、２２３  軸受部
２３ａ、１２３ａ、２２３ａ  第１受部
２３ｂ、１２３ｂ、２２３ｂ  第２受部
２４、２２４  上縁支持部
２５、２２５  上角支持部
２６、２２６  下角支持部
３０  スタンド部
３１ａ  右脚部
３１ｂ  左脚部
３３  軸部
１００  端末装置本体
１０１  端末装置
２１４ａ  内周壁
２２３ａ１、２２３ｂ１  摩擦面
【図１】
2019046940.tif 000003
【図２】
2019046940.tif 000004
【図３】
2019046940.tif 000005
【図４】
2019046940.tif 000006
【図５】
2019046940.tif 000007
【図６】
2019046940.tif 000008
【図７】
2019046940.tif 000009
【図８】
2019046940.tif 000010
【図９】
2019046940.tif 000011
【図１０】
2019046940.tif 000012
【図１１】
2019046940.tif 000013
【図１２】
2019046940.tif 000014
【図１３】
2019046940.tif 000015
【図１４】
2019046940.tif 000016